(57)【要約】【課題】  本発明は、表示画像が縦長か横長かに応じて表示部の向きを変えた場合でも、操作部材の向きは変わらないように構成することにより、操作性を向上した携帯型表示装置を提供する。【解決手段】  携帯型表示装置であって、矩形形状の液晶パネル２２（表示部）を備えた表示部材２１と、前記液晶パネル２２（表示部）の操作を行なう操作部材２３と、前記表示部材２１と一体的に構成され、少なくとも外周の一部が円弧状に形成された円弧状端部を有する本体部材２４とを有し、前記本体部材２４の前記円弧状端部の少なくとも一部には、外周に沿って係合部が設けられ、前記操作部材２３には、前記係合部に係合する係合部材が設けられ、前記操作部材２３と前記本体部材２４は、前記円弧状端部に沿って相対的に移動可能であることを特徴とする。【選択図】  図１２
2005196502.tif 000002
【特許請求の範囲】
【請求項１】
矩形形状の表示部を備えた表示部材と、
前記表示部の操作を行なう操作部材とを有し、
前記表示部材の少なくとも外周の一部は、円弧状に形成された円弧状端部として構成され、
前記表示部材の前記円弧状端部の少なくとも一部には、外周に沿って係合部が設けられ、
前記操作部材には、前記係合部に係合する係合部材が設けられ、
前記操作部材と前記表示部材は、前記円弧状端部に沿って相対的に移動可能であることを特徴とする携帯型表示装置。
【請求項２】
前記操作部材と前記表示部材は、前記操作部材に対する前記表示部の向きが９０度変わる位置に相対的に移動可能であることを特徴とする請求項１に記載の携帯型表示装置。
【請求項３】
前記操作部材に設けられている前記結合部材は、略Ｔ字状の形状を有していることを特徴とする請求項１または２に記載の携帯型表示装置。
【請求項４】
前記操作部材または前記表示部材は、撮像手段を有していることを特徴とする請求項１乃至３のいずれかに記載の携帯型表示装置。
【請求項５】
矩形形状の表示部を備えた表示部材と、
前記表示部の操作を行なう操作部材と、
前記表示部材と一体的に構成され、少なくとも外周の一部が円弧状に形成された円弧状端部を有する本体部材とを有し、
前記本体部材の前記円弧状端部の少なくとも一部には、外周に沿って係合部が設けられ、
前記操作部材には、前記係合部に係合する係合部材が設けられ、
前記操作部材と前記本体部材は、前記円弧状端部に沿って相対的に移動可能であることを特徴とする携帯型表示装置。
【請求項６】
前記操作部材と前記本体部材は、前記操作部材に対する前記表示部の向きが９０度変わる位置に相対的に移動可能であることを特徴とする請求項５に記載の携帯型表示装置。
【請求項７】
前記操作部材に設けられている前記結合部材は、略Ｔ字状の形状であることを特徴とする請求項５または６に記載の携帯型表示装置。
【請求項８】
前記操作部材、前記本体部材または前記表示部材は、撮像手段を有していることを特徴とする請求項５乃至７のいずれかに記載の携帯型表示装置。
【発明の詳細な説明】
【技術分野】
【０００１】
本発明は、例えば、テレビ放送、電子ブック等の画像や文字を表示するために用いることができる携帯型表示装置に関する。
【背景技術】
【０００２】
近年、家庭内にあるテレビやＤＶＤ、ＶＴＲ等のＡＶ機器の画像を離れた場所で視聴したり、記録媒体に記録されたデジタルカメラやムービーカメラで撮像された静止画像や動画像、電子ブックの小説、漫画等を見たり、または、インターネットと接続してＷＥＢ画面を見たりすること等ができる携帯型表示装置が開発されている。ところで、テレビ、映画等の画像は横長であるのに対して、電子ブックやＷＥＢ画面等のコンテンツは縦長の画面として構成されている場合が少なくない。従って、図１４に示すように、横長の表示部３０を有した携帯型表示装置３１では、テレビや映画等の横長の画像を見るのに適しているが、電子ブック等の縦長の画像は、図１５に示すように、全ての画像を表示することができずに非常に見にくいものとなる。
そこで、表示される画像が縦長か横長かに応じて、ユーザーが携帯型電子読書装置の向きを縦か横に変えるだけで、自動的に装置の向きに合わせて画像を表示する装置が提案されている（特許文献１）。
【特許文献１】特開平８−１２９５５７号公報
【発明の開示】
【発明が解決しようとする課題】
【０００３】
しかしながら、特許文献１に記載の装置は、装置全体を縦か横に向きを変えるため、画面を操作するための各操作キーの向きも変わってしまうことになる。なお、特許文献１では、表示画像を上下左右にスクロールするスクロールキーは、装置の向きに応じて上下と左右の機能を交替するように構成して、スクロールキーの操作方向と画像の移動方向が一致するようにしている。しかし、このような装置には、種々のキーが配置され、各キーの操作内容や操作方向を示すための文字や記号が各キー自体または各キーの近傍に記載されている。従って、装置全体の向きを変えてしまうと、各キーの文字や記号の向きも変わってしまうため、非常に操作しづらいものとなってしまう。また、各キーは所定方向からの操作がし易いように配置されているため、文字や記号を何とか認識できたとしても、異なった方向からでは操作性が著しく劣ってしまう。
本発明は、このような問題点に鑑みなされたものであり、表示画像が縦長か横長かに応じて表示部の向きを変えた場合でも、操作部材の向きは変わらないように構成することにより、操作性を向上した携帯型表示装置を提供するものである。
【課題を解決するための手段】
【０００４】
本発明の携帯型表示装置は、矩形形状の表示部を備えた表示部材と、前記表示部の操作を行なう操作部材とを有し、前記表示部材の少なくとも外周の一部は、円弧状に形成された円弧状端部として構成され、前記表示部材の前記円弧状端部の少なくとも一部には、外周に沿って係合部が設けられ、前記操作部材には、前記係合部に係合する係合部材が設けられ、前記操作部材と前記表示部材は、前記円弧状端部に沿って相対的に移動可能であることを特徴とする。
前記操作部材と前記表示部材は、前記操作部材に対する前記表示部の向きが９０度変わる位置に相対的に移動可能であることを特徴とする。
前記操作部材に設けられている前記結合部材は、略Ｔ字状の形状を有していることを特徴とする。
前記操作部材または前記表示部材は、撮像手段を有していることを特徴とする。
本発明の携帯型表示装置は、矩形形状の表示部を備えた表示部材と、前記表示部の操作を行なう操作部材と、前記表示部材と一体的に構成され、少なくとも外周の一部が円弧状に形成された円弧状端部を有する本体部材とを有し、前記本体部材の前記円弧状端部の少なくとも一部には、外周に沿って係合部が設けられ、前記操作部材には、前記係合部に係合する係合部材が設けられ、前記操作部材と前記本体部材は、前記円弧状端部に沿って相対的に移動可能であることを特徴とする。
前記操作部材と前記本体部材は、前記操作部材に対する前記表示部の向きが９０度変わる位置に相対的に移動可能であることを特徴とする。
前記操作部材に設けられている前記結合部材は、略Ｔ字状の形状であることを特徴とする。
前記操作部材、前記本体部材または前記表示部材は、撮像手段を有していることを特徴とする。
【発明の効果】
【０００５】
本発明は、表示画像が縦長か横長かに応じて表示部の向きを変えた場合でも、操作部材の向きは変わらないように構成することにより、操作性を向上した携帯型表示装置を提供することができる。
【発明を実施するための最良の形態】
【０００６】
次に、本発明の内容を詳細に説明するが、本発明はこれら実施の形態に何ら限定されるものではない。
【０００７】
（実施の形態１）
図１は本発明の実施の形態１にかかる携帯型表示装置の正面図で、図２は図１の携帯型表示装置を下方から見た底面図である。表示部材１には、液晶パネル２等の表示部、液晶パネル２に表示される音量バー（不図示）等を操作するタッチセンサ４が設けられている。操作部材３には、電源キー５、液晶パネル２に各種メニュー等を表示させる画面操作キー６、各メニューの選択、決定等を行なうジョイスティック等で構成されたメニュー操作キー７、選局やコンテンツ選択を行なう選局キー８、ＤＶＤやＶＴＲ等他のＡＶ機器の再生、早送り等の遠隔操作を行なうＡＶ操作キー９等が設けられている。
【０００８】
まず、本発明にかかる携帯型表示装置の用途について説明する。
例えば、家庭内にあるテレビ、ＤＶＤ等の操作や、画像、音声の受信を行なうことができる無線装置を内蔵または装着できる構成にすれば、離れた場所からテレビやＤＶＤ等を操作して、画像、音声を視聴することができるようになる。また、電子ブックが記録されている記録媒体を挿入できる構成にすれば、電子ブックの内容を液晶パネル２に表示して本を読むことができるようになる。また、インターネットと接続できるカード型通信装置を挿入できる構成にすれば、ＷＥＢ画面を閲覧したり、電子メールの送受信等を行なうことができるようになる。
このように、本発明にかかる携帯型表示装置は、様々な用途に適用が可能なものである。
【０００９】
次に、本発明の携帯型表示装置の詳細について説明する。
図１は、操作部材３に対して液晶パネル２が横長になる位置に、表示部材１があるときの状態を示す図である。通常は、この状態で保管されたり、持ち運びされたりすることになる。表示部材１の上方の端部及び操作部材３側の端部は、円弧の形状に形成された円弧状端部となっている。操作部材３の表示部材１側の端部は、表示部材１の円弧状端部の形状に沿った円弧状の形状に構成されている。
【００１０】
図３は、操作部材３の構成を説明するための、操作部材３の斜視図である。操作部材３には、表示部材１側の端部の側面にＴ字状の係合部材１０が一体的に設けられている。図４は、図１の携帯型表示装置の概略構成図（各操作キー等は省略）で、表示部材１の円弧状端部の内側には、破線で示すように、操作部材３の係合部材１０と係合する係合部１１が外周に沿って形成されている。図５は、図４のａ−ａ断面図で、係合部材１０と係合部１１の係合状態を示す。よって、操作部材３と表示部材１は、係合部材１０と係合部１１の係合により、相対的に表示部材１の円弧状端部の外周に沿って移動できる構成となっている。
【００１１】
このように、操作部材３と表示部材１の移動機構を表示部材１の円弧状端部の外周に沿って設けたので、表示部材１の中央部には回動機構が不要となり、表示部材１はほぼ全面にわたり有効に活用することができるようになる。従って、回路基盤等の配置等についても自由度が増し、携帯型表示装置の厚みを薄く構成することができるものである。
【００１２】
なお、図３ではＴ字状の係合部材１０を示したが、係合部材１０はこれに限定されるものではなく、例えばＬ字状等でもよく、操作部材３と表示部材１とが係合して相対的に移動できる構成であればどのような形状でも使用できるものである。
また、表示部材１の円弧状端部の長さや係合部１１の長さは、表示部材１と操作部材３の相対的移動距離に応じて、適宜適当な長さに構成することができる。
【００１３】
テレビ、ＤＶＤ等の横長の画像を見る場合は、図１の状態、すなわち液晶パネル２が横長の状態で見ることができる。操作部材３の各操作キーの文字、記号の向きや各操作キーの配置は、図１の状態で操作することを基準として構成されているので、操作もしやすいものである。
【００１４】
一方、電子ブックやＷＥＢ画面等の縦長の画像を見る場合は、図１の状態では見づらいため、操作部材３に対する液晶パネル２の向きが９０度変わるように、表示部材１と操作部材３を相対的に移動させて、図７の状態にする。図６は、表示部材１と操作部材３を相対的に移動させている途中の状態を示す図である。
図７の状態では、表示部材１の向きが９０度変わっているもかかわらず、操作部材３の向きは変わっていないので、操作部材３の各操作キーは図１と同じ状態で操作することができる。従って、図７の状態では縦長の画像が見やすくなるのに加えて、操作も横長の画面のときと同様に操作ができるので、操作性も非常に優れているものである。
【００１５】
また、液晶パネル２に表示されるメニュー等の操作用表示は、図１の状態では横長の画面に合わせた向きの表示を行い、図７の状態では縦長の画面に合わせた向きの表示を行なうように構成されている。従って、液晶パネル２の向きにかかわらず、メニュー等の操作用表示についても、操作部材３の操作方向と同じ方向から確認することができ、操作性に優れているものである。
このような操作用表示の表示方向の切換えは、表示部材１に対する操作部材３の位置を検出するためのスイッチを設けて、該スイッチの出力に基づいて制御することができる。スイッチとしては、例えば、表示部材１の係合部１１や操作部材３の係合部材１０等に、表示部材１に対する操作部材３の回転位置や回転範囲に応じて作動するスイッチを設けることができる。
【００１６】
（実施の形態２）
実施の形態１では、液晶パネル２の大きさを大きくしたい場合、液晶パネル２の大きさに合わせて表示部材１自体を大きくしなければならないので、携帯型表示装置全体の大きさが大型化してしまう。実施の形態２では、液晶パネル２を大きくした場合でも、実施の形態１に比べて、装置全体が大型化することのない携帯型表示装置を提供することができるものである。なお、図８乃至図１２に示す実施の形態２の携帯型表示装置は、各操作キー等の詳細は実施の形態１と同様の構成であるので、図面から省略する。
【００１７】
図８は実施の形態２にかかる携帯型表示装置の正面図で、図９は図８の携帯型表示装置を下方から見た底面図である。
携帯型表示装置は、液晶パネル２２等の表示部が設けられた表示部材２１、各操作キーが設けられた操作部材２３、表示部材２１と一体的に構成された本体部材２４から構成されている。
【００１８】
図１０は、図８の携帯型表示装置を背面から見た背面図である。本体部材２４は、上方が半円上の円弧状端部として形成されている。操作部材２３の本体部材２４側の端部の一部は、本体部材２４の円弧状端部の形状に沿った円弧状の形状となっている。図１０の破線に示すように、操作部材２３には、実施の形態１と同様に、Ｔ字状の係合部材２５が一体的に設けられている。実施の形態１では、係合部材１０と係合する係合部１１は表示部材１に形成されていたが、実施の形態２では、図１０の破線に示すように、表示部材２１と一体的に構成されている本体部材２４に係合部２６が形成されている。従って、操作部材２３と本体部材２４は、係合部材２５と係合部２６の係合により、相対的に本体部材２４の円弧状端部の外周に沿って移動できる構成となっている。
なお、図９に示すように、表示部材２１は、操作部材２３の上面よりも上方に位置するように構成されているので、操作部材２３と本体部材２４の相対的移動の妨げとなることはない。
【００１９】
電子ブックやＷＥＢ画面等の縦長の画像を見る場合は、実施の形態１と同様に、操作部材２３と本体部材２４を相対的に移動させて、図１２の状態にする。図１１は、操作部材２３と本体部材２４を相対的に移動させている途中の図である。図１１からわかるように、表示部材２１は、操作部材２３の上面を覆うように移動することができる。従って、表示部材２１の存在は、操作部材２３と本体部材２４の相対的移動に関して何ら障害となることはないので、液晶パネル２２の大きさを大きくしたい場合は、表示部材２１だけを大きくして、操作部材２３と本体部材２４の大きさは全く変更する必要がない。よって、実施の形態２の携帯型表示装置では、実施の形態１に比べて、装置全体を大型化することなく、液晶パネル２２の大きさを大きくすることができるものである。
【００２０】
（実施の形態３）
さらに、本発明の携帯型表示装置は、撮像手段を設けることにより、デジタルカメラとしても利用することができる。図１３は、図１に示した携帯型表示装置に、撮像手段２７およびシャッタボタン２８を設け、上方から見た上面図である。図１３では、撮像手段２７、シャッタボタン２８はいずれも操作部材３に設けられている。
撮像手段２７からの映像を液晶パネル２で見ながら撮影する際、写真を横長で撮影したい場合は、図１の状態で撮影することができる。また、写真を縦長で撮影したい場合は、表示部材１と操作部材３を相対的に移動させて図７の状態にして撮影をすることができる。従って、図１と図７の状態では、操作部材３に設けられているシャッタボタン２８の位置も変わることはないので、操作性に優れ、自然な状態で縦長の写真の撮影も行なうことができるものである。
なお、撮像手段２７およびシャッタボタン２８の設けられる場所は、図１３の場所に限定されるものではなく、例えば表示部材１に設けてもよく、適所に設けることができるものである。
【００２１】
また、実施の形態２にかかる携帯型表示装置も同様に、表示部材２１、操作部材２３または本体部材２４の適所に、撮像手段やシャッタボタンを設けて、デジタルカメラとして利用することができるものである。
【図面の簡単な説明】
【００２２】
【図１】本発明の実施の形態１にかかる携帯型表示装置の正面図。
【図２】図１の携帯型表示装置の底面図。
【図３】図１の携帯型表示装置における操作部材の斜視図。
【図４】図１の携帯型表示装置の概略構成図。
【図５】図１の携帯型表示装置の係合部材と係合部の結合状態を示す断面図。
【図６】図１の携帯型表示装置における操作部材と表示部材の相対的移動の途中の状態を示す図。
【図７】図１の携帯型表示装置において操作部材と表示部材を相対的に９０度移動させた状態を示す正面図。
【図８】本発明の実施の形態２にかかる携帯型表示装置の正面図。
【図９】図８の携帯型表示装置の底面図。
【図１０】図８の携帯型表示装置の背面図。
【図１１】図８の携帯型表示装置における操作部材と本体部材の相対的移動の途中の状態を示す図。
【図１２】図８の携帯型表示装置において操作部材と本体部材を相対的に９０度移動させた状態を示す正面図。
【図１３】本発明の実施の形態３にかかる携帯型表示装置の上面図。
【図１４】従来の携帯型表示装置を示す図。
【図１５】従来の携帯型表示装置を示す図。
【符号の説明】
【００２３】
１      表示部材
２      液晶パネル（表示部）
３      操作部材
４      タッチセンサ
５      電源キー
６      画面操作キー
７      メニュー操作キー
８      選局キー
９      ＡＶ操作キー
１０    係合部材
１１    係合部
２１    表示部材
２２    液晶パネル（表示部）
２３    操作部材
２４    本体部材
２５    係合部材
２６    係合部
２７    撮像手段
２８    シャッタボタン
３０    表示部
３１    従来の携帯型表示装置
【図１】
2005196502.tif 000003
【図２】
2005196502.tif 000004
【図３】
2005196502.tif 000005
【図４】
2005196502.tif 000006
【図５】
2005196502.tif 000007
【図６】
2005196502.tif 000008
【図７】
2005196502.tif 000009
【図８】
2005196502.tif 000010
【図９】
2005196502.tif 000011
【図１０】
2005196502.tif 000012
【図１１】
2005196502.tif 000013
【図１２】
2005196502.tif 000014
【図１３】
2005196502.tif 000015
【図１４】
2005196502.tif 000016
【図１５】
2005196502.tif 000017